(57)【特許請求の範囲】
【請求項１】
同一の入力操作が連続して行なわれたことを検出し、前記入力操作の繰り返された回数に応じて入力情報を切り替える入力端末機であって、
前記入力操作のための複数の入力部と、
前記連続して行なわれた同一の入力操作の入力操作回数をカウントする計測手段と、
前記連続して行なわれた同一の入力操作の入力操作回数と、入力情報ならびに前記入力情報が切り替わったことを示すための音階情報とを関連付けて記憶する記憶手段と、
前記入力操作に応答して、前記計測手段にてカウントされた前記入力操作回数に応じて変化する前記入力情報ならびに前記計測手段にてカウントされた前記入力操作回数に応じて変化する前記音階情報を出力する出力手段とを備え、
前記計測手段は、各前記複数の入力部毎に前記入力操作回数が所定の回数を超えた場合には、前記入力操作回数をリセットし、
前記記憶手段は、各前記複数の入力部毎に、入力回数にそれぞれ関連付けて前記入力情報、および異なる音色であり、かつ共通に用いられる前記音階情報を記憶し、
前記出力手段は、前記記憶手段に記憶されている前記入力操作に対応する音色で、前記入力操作回数に対応する共通の前記音階情報を出力する、入力端末機。
【請求項２】
前記入力情報は、文字データを有する文字情報である、請求項１記載の入力端末機。
【請求項３】
前記入力情報は、複数の選択対象のうちの１つを指定するための選択対象情報である、請求項１記載の入力端末機。
【請求項４】
入力操作のための複数の入力部のうち同一の入力操作が連続して行なわれたことを検出するステップと、
前記連続して行なわれた同一の入力操作の入力操作回数をカウントするステップと、
前記連続して行なわれた同一の入力操作の入力操作回数と入力情報ならびに前記入力情報が切り替わったことを示すための音階情報とが関連付けて記憶されている記憶手段から前記連続して行なわれた同一の入力操作回数に応じて変化する前記入力情報ならびにカウントされた前記入力操作回数に応じて変化する前記音階情報を出力するステップと、
各前記複数の入力部毎に前記入力操作回数が所定の回数を超えた場合には、前記入力操作回数をリセットするステップとを備え、
前記記憶手段は、各前記複数の入力部毎に、入力回数にそれぞれ関連付けて前記入力情報、および異なる音色であり、かつ共通に用いられる前記音階情報を記憶し、
前記出力するステップは、前記記憶手段に記憶されている前記入力操作に対応する音色で、前記入力操作回数に対応する共通の前記音階情報を出力する、コンピュータに実行させるためのプログラム。
【請求項５】
同一の入力操作が連続して行なわれたことを検出し、前記入力操作の繰り返された回数に応じて入力情報を切り替える入力端末機であって、
前記入力操作のための複数の入力部と、
前記連続して行なわれた同一の入力操作の入力操作回数をカウントする計測手段と、
前記連続して行なわれた同一の入力操作の入力操作回数と、入力情報ならびに前記入力情報が切り替わったことを示すための音階情報とを関連付けて記憶する記憶手段と、
前記入力操作に応答して、前記計測手段にてカウントされた前記入力操作回数に応じて変化する前記入力情報ならびに前記計測手段にてカウントされた前記入力操作回数に応じて変化する前記音階情報を出力する出力手段とを備え、
前記計測手段は、各前記複数の入力部毎に前記入力操作回数が所定の回数を超えた場合には、前記入力操作回数をリセットし、
前記記憶手段は、各前記複数の入力部毎に、入力回数にそれぞれ関連付けて前記入力情報、および異なる音色であり、かつ共通に用いられる前記音階情報を記憶し、
前記出力手段は、前記記憶手段に記憶されている前記入力操作に対応する音色で、前記入力操作回数に対応する共通の前記音階情報を出力する、携帯電話機。
【発明の詳細な説明】
【０００１】
【発明の属する技術分野】
本発明は、入力端末機に関し、連続的な同一の入力操作に応じて、入力情報を逐次変化させることが可能な入力端末機に関する。
【０００２】
【従来の技術】
従来より、ユーザが入力操作を安心かつ確実に行なうことができるように、入力端末機に入力操作が行なわれた際には、入力操作に対するフィードバック出力が入力端末機から行なわれるのが一般的である。たとえば、キーボードのキーを押したときにクリック音が発せられる聴覚情報によるフィードバック出力や、メニュー項目を選択したときに選択した当該メニュー項目に対する表示部の色が１回ないし数回変化する視覚情報によるフィードバック出力等がある。また、電話機等においては、入力されるダイヤルキー毎に異なる音がフィードバック出力として出力されるように設定されている。
【０００３】
【発明が解決しようとする課題】
特に、入力端末機を操作するキー数に制約がある場合等では、同一の入力操作を繰り返すことにより入力情報となるデータを変化させる方式がある。たとえば、携帯電話機等において、メール送信のための文章を入力する際に、同一のダイヤルキーを連続して押すことによって、「あ」「い」「う」「え」「お」というように順番に入力される文字データが切換るような文字入力方式が用いられている。
【０００４】
しかしながら、上記文字入力方式においては、画面等に表示された文字データが目視によって確認しながら、所望の文字データが表示されるまでキーを連続して押す必要があった。すなわち、実際の入力情報である文字データの直接的な目視確認以外の確認方式は設けられていなかった。
【０００５】
このような目視確認は、常に表示画面等を見ていなければキーを押し過ぎてしまい、所望の文字データを入力できないという不便さがある。
【０００６】
本発明の目的は、上記の課題を解決するものであり、同一の入力操作を連続して行なうことにより入力情報がその回数に応じて逐次変化する場合に、ユーザに対して適切なフィードバック出力を与えることによって操作性を向上させた入力端末機を提供する。
【０００７】
【課題を解決するための手段】
本発明の入力端末機は、ユーザからの入力操作を受けるための入力部と、入力操作が連続的な同一の操作であるかどうかを判定する判定手段と、判定手段の判定結果に応じて入力操作が連続的である場合に、入力操作の入力操作回数をカウントする計測手段と、入力操作回数に応じて、入力情報を切り替える制御部と、入力操作回数に応じてあらかじめ設定された所定の入力更新情報を記憶する記憶部と、入力情報とともに、入力操作に応答して、計測手段によってカウントされた入力操作回数に応じた入力更新情報を選択的に出力するための出力部とを備える。
【０００８】
好ましくは、記憶部に記憶されている入力更新情報は、音声を出力するための音声情報および色を発色するための発色情報のうちの少なくとも一方の情報を含み、出力部は、少なくとも一方の情報に対応して、音声情報を受けて音声を出力するための音声出力部および発色情報を受けて色を発色するための発光部のうちの少なくとも一方を含む。
【０００９】
好ましくは、計測手段は、入力操作回数が所定の回数を超えた場合には、入力操作回数をリセットする。
【００１０】
好ましくは、入力部は、入力操作のための複数の入力キーを含み、
記憶部には、各複数の入力キー毎に入力更新情報が記憶される。
【００１１】
特に、記憶部は、複数の入力キーにそれぞれ対応する音色をさらに記憶し、出力部は、入力操作に応答して、対応する音色とともに入力操作回数に応じた入力更新情報を選択的に出力する。
【００１２】
特に、入力部は、出力部の出力形式を変更するための出力変更情報の入力を受け、制御部は、出力変更情報に応じて、音声出力部および発光部のうちの少なくとも一方を選択して入力更新情報を出力する。
【００１３】
好ましくは、入力情報は、文字データを有する文字情報である。
好ましくは、入力情報は、複数の選択対象のうちの１つを指定するための選択対象情報である。
【００１４】
本発明の入力方法は、ユーザからの入力操作を受けるステップと、入力操作が連続的な同一の操作であるかどうかを判定するステップと、判定結果に応じて、入力操作が連続的である場合に、入力操作の入力操作回数をカウントするステップと、入力操作回数に応じて、入力情報および入力操作回数に対応してあらかじめ設定されている所定の入力更新情報を選択するステップと、入力操作に応答して、入力情報を切り替えるとともに、入力更新情報を選択的に出力するステップとを備える。
【００１５】
本発明のコンピュータに実行させるためのプログラムは、ユーザからの入力操作を受けるステップと、入力操作が連続的な同一の操作であるかどうかを判定するステップと、判定結果に応じて、入力操作が連続的である場合に、入力操作の入力操作回数をカウントするステップと、入力操作回数に応じて、入力情報および入力操作回数に対応してあらかじめ設定されている所定の入力更新情報を選択するステップと、入力操作に応答して、入力情報を切り替えるとともに、入力更新情報を選択的に出力するステップとを備える。
【００１６】
本発明のコンピュータに実行させるためのプログラムを記録したコンピュータ読取可能な記録媒体は、ユーザからの入力操作を受けるステップと、入力操作が連続的な同一の操作であるかどうかを判定するステップと、判定結果に応じて、入力操作が連続的である場合に、入力操作の入力操作回数をカウントするステップと、入力操作回数に応じて、入力情報および入力操作回数に対応してあらかじめ設定されている所定の入力更新情報を選択するステップと、入力操作に応答して、入力情報を切り替えるとともに、入力更新情報を選択的に出力するステップとを備える。
【００１７】
本発明の携帯電話機は、ユーザからの入力操作を受けるための入力部と、入力操作が連続的な同一の操作であるかどうかを判定する判定手段と、判定手段の判定結果に応じて、入力操作が連続的である場合に、入力操作の入力操作回数をカウントする計測手段と、入力操作回数に応じて、入力情報を切り替える制御部と、入力操作回数に対応してあらかじめ設定された所定の入力更新情報を記憶する記憶部と、入力情報とともに、入力操作に応答して、計測手段によってカウントされた入力操作回数に応じた入力更新情報を選択的に出力するための出力部とを備える。
【００１８】
【発明の実施の形態】
本発明の実施の形態について図面を参照しながら詳細に説明する。なお、図中同一または相当部分には同一符号を付し、その説明を繰返さない。
【００１９】
（実施の形態１）
図１は、本発明の入力端末機を含む携帯電話機１０の外観構成図である。
【００２０】
携帯電話機１０は、電話番号等を入力するための複数のダイヤルキー１と、携帯電話機１０が有する複数の機能を選択するためのメニューキー２と、文字データ等を表示するための表示部４と、表示部４に表示されるカーソル等を移動させるための方向キー３と、複数の色を発色することが可能な発光部５と、音声を出力するためのスピーカ６と、電話局から電波を受信するためのアンテナ７とを有する。
【００２１】
図２は、携帯電話機１０に内蔵される本発明の実施の形態１に従う入力端末機３０のブロック構成図である。
【００２２】
図２を参照して、本発明の入力端末機３０は、ユーザが入力操作を行なうための複数のダイヤルキー１、メニューキー２および方向キー３と、入力端末機３０全体を制御する、携帯電話機１０に内蔵のＣＰＵ１２と、携帯電話機１０の各種機能を実行するためのプログラムやデータ情報を記憶するメモリ１３と、文字、記号、図形等を表示する表示部４と、聴覚情報等の音声を出力するためのスピーカ６と、視覚情報等の色を発色するための発光部５とを備える。
【００２３】
以下においては、入力情報となる文字等を含むデータ情報については、入力端末機３０に備えられているメモリ１３に記憶されているものとして説明するが、ＣＰＵ１２等の演算処理装置が記憶していてもよい。
【００２４】
以下、本発明の入力端末機３０の動作処理について説明する。
図３は、本発明の実施の形態１に係る入力端末機３０において文字入力操作を行なう場合の処理の流れを説明するためのフローチャートである。ここでは、、ダイヤルキー１に対する入力操作について説明する。
【００２５】
まず、ＣＰＵ１２は、複数のダイヤルキー１のいずれか１つからの入力を受ける（ステップＳ１）。
【００２６】
次に、ＣＰＵ１２は、複数のダイヤルキー１のいずれか１つからの入力が前回と同一の入力操作であるか否かを判定する（ステップＳ２）。
【００２７】
ここで、ＣＰＵ１２は、同一の入力操作であると判定した場合には、同一のダイヤルキーに対する入力操作の入力操作回数Ｎをカウントする（ステップＳ４）。たとえば、ダイヤルキーを初めて押した場合には入力操作回数Ｎ＝１となる。もう一度同じダイヤルキーを連続して押した場合には入力操作回数Ｎ＝２となる。
【００２８】
次に、ＣＰＵ１２は、メモリ１３のテーブルデータから参照して、カウントした入力操作回数Ｎに対応するデータ情報をテーブルデータから取得する（ステップＳ５）。ここで、データ情報としては、文字、記号、図形等の文字入力情報と、音声を出力するための音声情報および色を発光させるための発色情報等の入力情報が更新したことを示す入力更新情報とを含む。
【００２９】
まず、文字入力情報について説明する。
図４は、複数のダイヤルキー１の各々が連続して押された入力操作回数Ｎと文字入力情報との対応関係を図示したテーブルデータの一例である。
【００３０】
図４を参照して、複数のダイヤルキー１のそれぞれのキーには仮名の行が割当てられている。また、同一のダイヤルキーが連続して押された入力操作回数Ｎに対応して、対応する仮名の行の各文字を出力するための文字入力情報が割当てられている。
【００３１】
一例として、「１」のキーには「あ行」の各文字、「２」のキーには「か行」の各文字、「３」のキーには「さ行」の各文字、「４」のキーには「た行」の各文字、「５」のキーには「な行」の各文字、「６」のキーには「は行」の各文字、「７」のキーには「ま行」の各文字、「８」のキーには「や行」の各文字、「９」のキーには「ら行」の各文字がそれぞれ割当てられているとする。また、「０」のキーには「わ」「を」「ん」「−」「、」「。」が割当てられており、「♯」のキーには入力中の入力情報となる文字を「濁音」、「半濁音」に変換するように割当てられているものとする。なお入力情報である文字が濁音化、半濁音化できない場合は「♯」のダイヤルキーの入力操作は無効となっているものとする。
【００３２】
さらに、「あ行」「た行」「や行」の各仮名の行にはそれぞれ「ぁ」「ぃ」「ぅ」「ぇ」「ぉ」と、「っ」と、「ゃ」「ゅ」「ょ」というような小文字も含まれているものとする。
【００３３】
たとえば、「２」のダイヤルキーを連続して押した場合、ＣＰＵ１２は、入力操作回数Ｎに応じて、「か」「き」「く」「け」「こ」のそれぞれの文字を文字表示する文字入力情報を順次取得する。また、あらかじめ対応付けられた入力操作回数Ｎよりも多く、連続して入力操作された場合、すなわち上限値Ｍを超えた場合には、入力操作回数がリセットされる。すなわち、ＣＰＵ１２は、入力操作回数Ｎを初期値である入力操作回数Ｎ＝１に設定する。
【００３４】
具体的には、「２」のダイヤルキーの入力操作回数Ｎの上限値Ｍは、上限値Ｍ＝６とする。ＣＰＵ１２は、上限値Ｍを超えた場合においては、入力操作回数Ｎ＝Ｎ−Ｍ＝７−６＝１として上述した動作を繰り返すものとする。すなわち初期値である入力操作回数Ｎ＝１に従う「か」を文字表示する文字入力情報を取得する。上限値Ｍについては、複数のダイヤルキー１のそれぞれにおいてあらかじめ設定されているものとする。
【００３５】
次に、音声情報および発色情報について説明する。
図５は、入力操作回数Ｎと音声情報および発色情報との対応関係を示すテーブルデータの一例である。
【００３６】
図５を参照して、同一のダイヤルキーが連続して押された入力操作回数Ｎにそれぞれ対応して、出力形式が音である場合に異なる音階を出力する音声情報と、出力形式が色である場合に異なる色に発色する発色情報とがそれぞれ割当てられている。
【００３７】
入力操作回数Ｎ＝１〜１０のそれぞれに対応する音階は、「ド」、「レ」、「ミ」、「ファ」、「ソ」、「ラ」、「シ」、「ド＋」、「レ＋」、「ミ＋」のように割当てられているものとする。「ド＋」「レ＋」「ミ＋」は、それぞれ「ド」「レ」「ミ」の音階における１オクターブ高い音階を示すものとする。
【００３８】
入力操作回数Ｎ＝１〜１０のそれぞれに対応する色は、「黒」、「赤」、「緑」、「黄」、「青」、「紫」、「白」、「桃」、「水色」のように割当てられているものとする。また、あらかじめ対応付けられた入力操作回数Ｎよりも多く、連続して入力操作された場合すなわち上限値Ｍを超えた場合には、ＣＰＵ１２は、初期値である入力操作回数Ｎ＝１に設定されるものとする。
【００３９】
たとえば、ＣＰＵ１２は、入力操作回数Ｎ＝２である場合には、出力形式が音であるときに「レ」の音階を出力する音声情報を取得する。また、出力形式が発色である場合に「赤」の色に発色する発色情報を取得する。
【００４０】
したがって、ＣＰＵ１２は、上述したテーブルデータを用いてデータ情報として文字入力情報、音声情報および発色情報を取得する。
【００４１】
再び図３を参照して、次に、ＣＰＵ１２は、表示部４、発光部５およびスピーカ６に取得したデータ情報を出力する（ステップＳ６）。
【００４２】
表示部４は、データ情報に含まれる文字入力情報により指定された文字を文字表示する。発光部５は、データ情報に含まれる発色情報により指定された色を発色する。スピーカ６は、データ情報に含まれる音声情報により指定された音を出力する。
【００４３】
次に、ＣＰＵ１２は、最初のステップＳ１に戻り次の入力を受け、上述した動作を繰り返す。
【００４４】
ここで、ＣＰＵ１２は、ステップＳ２において、同一の入力操作でないと判定した場合には入力情報を確定する(ステップＳ３）。
【００４５】
次に、ＣＰＵ１２は、次のステップＳ４に進む。
たとえば、ＣＰＵ１２は、「１」のダイヤルキーを３回操作して入力情報が「う」になっているときに「２」のダイヤルキーを押したとすると「う」の文字が確定された入力情報とされる。次に、「２」のダイヤルキーの入力操作回数Ｎ＝１がカウントされ、図４を参照して、対応する「か」の文字が表示部４に入力情報として表示される。
【００４６】
なお、以上説明したダイヤルキーを用いた文字入力方式は携帯電話機等で一般的に用いられているものと同様である。
【００４７】
ここで、一例として「２」のダイヤルキーを３回連続して操作した場合について考える。
【００４８】
ＣＰＵ１２は、入力操作回数Ｎをカウントし、入力操作回数Ｎ＝３となる。
次に、ＣＰＵ１２は、図４および図５のテーブルデータを参照して、入力操作回数Ｎに対応するデータ情報を取得する。具体的には、入力操作回数Ｎ＝３に対応して「く」の文字を文字表示する文字入力情報と、「ミ」の音階の音を出力する音声情報と、「橙」の色を発色する発色情報を取得する。
【００４９】
ＣＰＵ１２は、取得した文字入力情報、音声情報および発色情報をそれぞれ表示部４、発光部５およびスピーカ６に出力する。表示部４は、「く」の文字を文字表示し、スピーカ６は、「ミ」の音階を出力し、発光部５は、「橙」色を発色する。
【００５０】
本発明の実施の形態１においては、一例として、携帯電話機での文字入力操作における入力端末機について説明してきたが本願発明の適用は、このような例に限定されるものではない、すなわち文字以外の入力操作や他の機能の選択操作に対しても本発明に従う入力端末機を適用することが可能である。
【００５１】
たとえば、複数の図形のうちの１つを選択する図形選択操作において同じキーを連続して押すことによって選択されている図形を順次切換えるような図形選択方式や、複数の項目の中から１つの項目を選択するメニュー項目選択操作において同じキーを連続して押すことによって選択されている項目を順次切換えるようなメニュー選択方式等についても、本発明に従う入力端末機は適用可能である。
【００５２】
本発明の方式により連続して操作された入力操作回数Ｎに対してフィードバック出力となる複数の出力形式が対応付けられることにより、ユーザは入力情報を直接的に示す文字表示による視覚情報の確認のみならず、間接的に示す音による聴覚情報および色による視覚情報のフィードバック出力により入力情報を確認することができる。
【００５３】
また、上記において説明した聴覚情報および視覚情報によるフィードバック出力以外の形態を利用することもできる。たとえば、携帯電話機等に一般的に内蔵されている振動機能（バイブレータ機能）を利用することができる。具体的には、振動機能の振動パターンを入力操作回数Ｎに応じて対応付けることにより、触覚情報のフィードバック出力により入力情報を確認することもできる。
【００５４】
この結果、携帯電話機等において同一のキー入力操作を行なう場合の操作性を向上させることができる。
【００５５】
（実施の形態２）
実施の形態１においては、フィードバック出力の出力形式として文字、音、色の３態様における出力形式について説明したが、文字のみの１態様における出力形式や文字と音あるいは色とを組み合わせた２態様における出力形式としてもよい。以下においては、フィードバック出力の出力形式を選択する方式について説明する。
【００５６】
図６は、ＣＰＵ１２が出力形式を選択するフローチャートである。
まず、ＣＰＵ１２は、メニューキー２の入力を受ける（ステップＳ１０）。
【００５７】
ＣＰＵ１２は、メニューキー２の入力を受けて各種の設定変更画面情報をメモリ１３から取得する（ステップＳ１１）。
【００５８】
次に、ＣＰＵ１２は、表示部４に各種の設定変更を促す画面を表示する（ステップＳ１２）。ここで、設定変更を促す画面には、出力形式の設定を変更する項目等が表示されているものとする。
【００５９】
次に、ＣＰＵ１２は、出力形式の変更の命令入力を受ける（ステップＳ１３）。たとえば、ＣＰＵ１２は、各項目毎に割り付けられた番号に対応するダイヤルキーをユーザが入力することにより設定変更の命令入力を受ける。
【００６０】
ＣＰＵ１２は、出力形式の設定変更の命令入力を受けて出力形式選択画面情報をメモリ１３から取得する（ステップＳ１４）。
【００６１】
次に、ＣＰＵ１２は、表示部４に出力形式選択画面を表示する（ステップＳ１５）。ここで、出力形式選択画面には、出力形式を選択する項目等が表示されているものとする。一例として、「１．表示のみ」、「２．表示および音」、「３．表示および色」、「４．表示、音および色」のように項目ごとに割り付けられている番号に対応して画面に表示されているものとする。
【００６２】
次に、ＣＰＵ１２は、出力形式選択画面に表示された出力形式の選択の命令入力を受ける（ステップＳ１６）。たとえば、ＣＰＵ１２は、出力形式選択画面において項目毎に割り付けられた番号に対応するダイヤルキーがユーザにより入力されることにより出力形式の選択の命令入力を受けるとも考えられる。
【００６３】
ＣＰＵ１２は、出力形式の選択の命令入力を受けて、選択された方式により出力形式を実行するように設定する（ステップＳ１７）。したがって、上述した例を用いて、「１」のダイヤルキーに対応する「表示のみ」がユーザによって選択され入力された場合には、ＣＰＵ１２は、表示部４でのみ表示するように出力形式を設定する。
【００６４】
このようにすると、たとえば、音を出すことがはばかられるような状況においては、音による出力形式を利用しないように設定することが可能となりユーザ側が自由に、利用する状況や好みに合わせてフィードバック出力の出力形式の仕様を変更することができる。なお、一般的な携帯電話機等の機能として用いられているいわゆるマナーモードの機能を用いることにより、出力形式の仕様を間接的に変更することも可能である。
【００６５】
また、図５において出力形式が音である場合の音階のテーブルデータについて説明したが、図５のテーブルデータと組み合わせてさらにダイヤルキー毎に異なる音色の音を出力する出力形式をとることも可能である。
【００６６】
図７は、ダイヤルキー毎に対応付けられた音色を出力するために参照されるテーブルデータの一例を示す図である。
【００６７】
たとえば、「１」〜「９」，「０」，「＃」のダイヤルキーのそれぞれに対応して、「ピアノ」、「オルガン」「バイオリン」、「ギター」、「フルート」、「ファゴット」、「トランペット」、「サックス」、「木琴」、「ハープ」、「ドラム」が割当てられているものとする。
【００６８】
たとえば、「２」のダイヤルキーが３回連続して操作された場合、入力操作回数Ｎ＝３である。図４、５および７のテーブルデータを参照して、ＣＰＵ１２は、入力操作回数Ｎ＝３に対応して「く」の文字を文字表示する文字入力情報と、「ミ」の音階の音に加えて「ミ」の音階を「オルガン」の音色で出力する音声情報と、「橙」の色を発色する発色情報を取得する。
【００６９】
また、出力形式が色である場合について、発光部５が発色する代わりに、それぞれのダイヤルキーが発色することも可能である。すなわち入力操作されるダイヤルキーそれぞれに発光部を備えることにより、ダイヤルキー毎に発色するように出力することも可能である。また、発光部５によって行なわれる以外にも表示部４の表示画面の表示背景色を発色させてもよく、表示画面中に表示される入力情報となる文字等を表示する色を発色させてもよい。
【００７０】
なお、上述した図５、７で参照したテーブルデータの内容は予めメモリ１３に格納され設定されているものとして説明したが、携帯電話機の機能としてテーブルデータの内容を変更追加するプログラムをあらかじめ備えることによりユーザによってテーブルデータの内容を変更したり追加してもよい。このようにすることによりユーザの好みに合わせて入力情報を認識することができる。
【００７１】
本発明に従う、連続的な同一の入力操作に応じて入力情報が逐次変化した場合にフィードバック出力を行なうためのプログラムは、図３、５に示した動作フローを処理するＣＰＵ１２を実行することにより実現される。
【００７２】
かかるフィードバック出力を行なうためのプログラムは、ＣＰＵ１２が読取可能な記録媒体に格納されている。なお、記録媒体に格納されている内容としては、本発明に従うフィードバック出力のみならずデータ情報を含んでもよい。
【００７３】
本発明に従う、フィードバック出力を行なうための記録媒体は、ＣＰＵ１２で処理を行なうために一般的なコンピュータに内蔵あるいは接続される本発明のメモリ１３に相当するＲＯＭ（Read Only Memory）等の記録媒体であってもよい。たとえば、マスクＲＯＭ、ＥＰＲＯＭ、ＥＥＰＲＯＭ等のフラッシュＲＯＭ等による半導体メモリを挙げることができる。
【００７４】
また、本発明に従う、フィードバック出力を行なうための記録媒体は、本体と分離可能に構成される記録媒体でもよく、磁気テープやカセットテープ等のテープ系、ＦＤ（Flexible  Disk）やハードディスク等の磁気ディスクやＣＤ−ＲＯＭ（Compact  Disc-Read  Only  Memory），ＭＯ（Magneto-Optical），ＭＤ（Mini  Disk），ＤＶＤ（Digital  Video  Disc）等の光ディスクのディスク系、ＩＣカード（Integrated  Circuit）やメモリカード、光カード等のカード系等を挙げることができる。
【００７５】
図８は、携帯電話機１１に設けられたメモリカード接続端子２０と外部からのメモリカード２１との接続を示すとともに本発明に従うプログラムを受信するアンテナ７を示す図である。
【００７６】
携帯電話機１１は、携帯電話機１０と比較して、ＣＰＵ１２と接続されるメモリカード接続端子２０をさらに備えた点が異なる。また、メモリカード２１には、ＣＰＵ１２によりフィードバック出力形式を機能させるための本発明に従うプログラムが格納されているものとする。
【００７７】
図８に示すように、外部から本発明のプログラムが格納されたメモリカード２１を差し込んで、メモリカード接続端子２０と接続することにより上述した機能を実現することができる。
【００７８】
また、通信ネットワークを介して本発明に従うプログラムをダウンロードすることにより流動的に本発明に従うプログラムを保持することも可能である。
【００７９】
図８を参照して、本発明に従うプログラムを通信ネットワークを介してアンテナ７により受信して、受信した本発明に従うプログラムをメモリ１３等に格納することにより上述した機能を実現することができる。
【００８０】
なお、このように通信ネットワークから本発明に従うプログラムをダウンロードする場合には、そのダウンロードするためのダウンロード用プログラムは予めメモリ１３に格納されているものとする。あるいは別な記録媒体を用いてメモリ１３にインストールしてもよい。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８２】
【発明の効果】
本発明の入力端末機は、入力操作が連続的な同一な操作であるかどうかを判定し、判定結果に応じて、入力操作回数をカウントし、記憶部に入力操作回数に応じてあらかじめ設定されている入力更新情報を選択的に出力することができるため、同一の入力操作を行なった場合であっても情報が更新されたことをユーザは、他の方式で認識することができ入力端末機の利便性が向上する。
【００８３】
本発明の入力端末機は、入力更新情報が音声情報および発色情報のすくなくとも一方を含むため、視覚および聴覚のいずれか一方で情報が更新されたことを認識でき入力端末機の利便性が向上する。
【００８４】
本発明の入力端末機は、記憶部が複数の入力キーそれぞれに対応する音色を記憶するため、音色により入力操作の対象となる入力キーを認識することができるため入力端末機の利便性が向上する。
【００８５】
本発明の入力端末機は、出力変更情報の入力を受けることにより、音声出力部および発光部の少なくとも一方を選択することができるためユーザの好みに合わせて更新情報を出力することができ入力端末機の利便性が向上する。
【図面の簡単な説明】
【図１】  本発明の入力端末機を含む携帯電話機１０の外観構成図である。
【図２】  本発明の実施の形態１に従う入力端末機３０のブロック構成図である。
【図３】  本発明の実施の形態１に係る入力端末機３０において文字入力操作を行なう場合の処理の流れを説明するためのフローチャートである。
【図４】  複数のダイヤルキー１の各々が連続して押された入力操作回数Ｎと文字入力情報との対応関係を図示したテーブルデータの一例である。
【図５】  入力操作回数Ｎと音声情報および発色情報との対応関係を示すテーブルデータの一例である。
【図６】  ＣＰＵ１２が出力形式を選択するフローチャートである。
【図７】  ダイヤルキー毎に対応付けられた音色を出力するために参照されるテーブルデータの一例を示す図である。
【図８】  携帯電話機１１に設けられたメモリカード接続端子２０と外部からのメモリカード２１との接続を示すとともにプログラムを受信するアンテナ７を示す図である。
【符号の説明】
１  ダイヤルキー、２  メニューキー、３  方向キー、４  表示部、５  発光部、６  スピーカ、７  アンテナ  １０，１１  携帯電話機、１２  ＣＰＵ、１３  メモリ、２０  メモリカード接続端子、２１  メモリカード。
【図１】
0003907455.tif 000002
【図２】
0003907455.tif 000003
【図３】
0003907455.tif 000004
【図４】
0003907455.tif 000005
【図５】
0003907455.tif 000006
【図６】
0003907455.tif 000007
【図７】
0003907455.tif 000008
【図８】
0003907455.tif 000009